(57)【要約】【課題】信号を通す電気的なケーブルの遮蔽の遮蔽電位が丸型差込接続器内を、相応に装備された対応プラグへと導かれるようにする。【解決手段】プラグボディ（１０）内に、遮蔽中継エレメント（３０）が配置されており、該遮蔽中継エレメント（３０）が切断クランプ接続部（３１）、中継コンタクト（３３）およびばね湾曲部（３２）を有しているようにした。【選択図】図１
2005166653.tif 000002
【特許請求の範囲】
【請求項１】
プラグボディ（１０）と、該プラグボディ（１０）内に保持されたコンタクトエレメント（１７）と、ケーブル接続側（２）と、差込側（３）とを備えた丸型差込接続器（１）におけるエレメントの配置構造であって、丸型差込接続器に接続されていて遮蔽編組（７）により包囲されている電気的なケーブル（５）の遮蔽電位を対応プラグへと導くようになっている形式のものにおいて、プラグボディ（１０）内に、遮蔽中継エレメント（３０）が配置されており、該遮蔽中継エレメント（３０）が切断クランプ接続部（３１）、中継コンタクト（３３）およびばね湾曲部（３２）を有していることを特徴とする、丸型差込接続器におけるエレメントの配置構造。
【請求項２】
遮蔽中継エレメント（３０）が、プラグボディ（１０）に設けられたスリット状の開口内に、切欠き（１５）内に位置する係止舌片（３４）により係止可能である、請求項１記載の配置構造。
【請求項３】
遮蔽中継エレメント（３０）が、ピン状の中継コンタクト（３３）でもって、プラグスリーブ（１１）に軸方向で配置されたソケットコンタクト（１９）内に挿入されている、請求項１または２記載の配置構造。
【請求項４】
遮蔽編組（７）に埋設された並走線が遮蔽中継エレメント（３０）の切断クランプ（３１）に接続可能である、請求項１から３までのいずれか１項記載の配置構造。
【請求項５】
遮蔽編組（７）が遮蔽中継エレメント（３０）の切断クランプ（３１）に接続可能である、請求項１から４までのいずれか１項記載の配置構造。
【請求項６】
シールインサート（２０）に、少なくとも１つのスリット（２２）が設けられている、請求項１から５までのいずれか１項記載の配置構造。
【請求項７】
ソケットコンタクト（１９）が、対応プラグのための差込側に、ソケット状またはピン状の幾何学形状を有している、請求項１から６までのいずれか１項記載の配置構造。
【請求項８】
遮蔽編組（７）が、電気伝導性の滑動リング（４５）とコンタクト形成し、該滑動リング（４５）がユニオンナット（１３）に当接し、該ユニオンナット（１３）がプラグスリーブ（１１）に接続されており、該プラグスリーブ（１１）内で、遮蔽中継エレメント（３０）がプラグボディ（１０）内に配置されており、プラグスリーブ（１１）が遮蔽中継エレメント（３０）のばね湾曲部（３２）とコンタクト形成する、請求項１から７までのいずれか１項記載の配置構造。
【発明の詳細な説明】
【技術分野】
【０００１】
本発明は、プラグボディと、該プラグボディ内に保持されたコンタクトエレメントと、ケーブル接続側と、差込側とを備えた丸型差込接続器におけるエレメントの配置構造であって、丸型差込接続器に接続されていて遮蔽編組により包囲されている電気的なケーブルの遮蔽電位を対応プラグへと導くようになっている形式のものに関する。
【背景技術】
【０００２】
丸型差込接続器におけるこの種の配置構造は、遮蔽された線路の使用時の遮蔽電位が確実にプラグから、相応に準備された対応プラグへと導かれることを保証するために必要である。
【０００３】
ドイツ連邦共和国特許第４１３７３５５号明細書から公知の、遮蔽された線路のための丸型差込接続器では、ハウジングがケーブルの遮蔽に電気伝導性に接続されている。その際、スリーブとして形成された、軸方向で圧縮されてハウジング内に保持されている電気伝導性のエラストマ部分はハウジングと遮蔽との間の接続を保証する。
【０００４】
ドイツ連邦共和国特許出願公開第１９７２７４５３号明細書から公知の、遮蔽されたケーブルのための丸型差込接続器はインナハウジングおよびアウタハウジングならびに螺設可能なエンドキャップを有している。さらに、引張負荷を軽減する手段が設けられている。遮蔽されたケーブルの遮蔽コンタクトのために、冠状ばねが使用される。
【特許文献１】ドイツ連邦共和国特許第４１３７３５５号明細書
【特許文献２】ドイツ連邦共和国特許出願公開第１９７２７４５３号明細書
【発明の開示】
【発明が解決しようとする課題】
【０００５】
それゆえ本発明の課題は、冒頭で述べた形式の、既に公知の丸型差込接続器を改良して、信号を通す電気的なケーブルの遮蔽の遮蔽電位が丸型差込接続器内を、相応に装備された対応プラグへと導かれるようにすることである。
【課題を解決するための手段】
【０００６】
上記課題を解決した本発明の構成によれば、プラグボディ内に、遮蔽中継エレメントが配置されており、該遮蔽中継エレメントが切断クランプ接続部、中継コンタクトおよびばね湾曲部を有しているようにした。
【０００７】
本発明の有利な構成は請求項２から８に記載されている。
【発明の効果】
【０００８】
本発明により得られる利点は特に、遮蔽されたケーブルの遮蔽電位を伝達するための、丸型差込接続器における本発明による配置構造が、大きな変更なく、既に公知のプラグシステムに代替され得る点にある。その際、丸型差込接続器内での、ケーブルの個別導体の電気的なコンタクト形成のために、圧着コンタクト（ＩＤＣ）とも呼ばれる切断クランプ接続部が設けられている。その際有利には、正規の切断クランプコンタクトのうちの１つが、打抜き技術で製作される特別な遮蔽中継エレメントに交換される。この遮蔽中継エレメントもやはり切断クランプ接続部を有している。ただし付加的に、ピン形の中継コンタクトならびにばね湾曲部が設けられている。中継コンタクトは、プラグハウジングの中央に配置されたソケットコンタクト内に差し込まれる。ソケットコンタクトはやはり、相応に装備された対応プラグの差込コンタクトまたはソケットコンタクトにコンタクト形成する。遮蔽中継エレメントのばね湾曲部は、プラグスリーブに設けられた開口を通して、有利には弾性的に、丸型差込接続器の、プラグスリーブに覆い被さる電気伝導性のユニオンナットに対して押圧される。ユニオンナットはやはりケーブルの遮蔽編組によりコンタクト形成される。このために、遮蔽編組はシールインサートの、少なくとも１つのスリット内に挿入されている。シールインサートは、プラグスリーブに螺設したいユニオンナットにより、シールインサート内に保持された電気的なケーブルを固定し、かつ丸型差込接続器のシールを保証する。その際、シールインサートに被せ嵌められる電気伝導性の滑動リングはユニオンナット、最終的にはやはり遮蔽中継エレメントへの遮蔽編組のコンタクト形成を請け負う。それにより、丸型差込接続器全体が遮蔽効果を有している。変化形では、遮蔽編組を直接遮蔽中継エレメントの切断クランプコンタクトにコンタクト形成するようになっていることができる。別の変化形では、「副線」が遮蔽編組内に埋設されている、相応に装備されたケーブルの助けを借りて、この副線を直接遮蔽中継エレメントの切断クランプにコンタクト形成するようになっていることができる。それにより、有利には２つの異なる経路、すなわち、電気的なケーブルの遮蔽電位を、直接的に切断クランプを介して、または間接的に丸型差込接続器の、電気伝導性のスリーブを介して、対応プラグへと導く２つの異なる経路が提供される。
【０００９】
以下に図面を参照しながら本発明の実施例につき詳説する。
【発明を実施するための最良の形態】
【００１０】
図１には、フラットな打抜き部分として製作された遮蔽中継エレメント３０が単品で示されている。遮蔽中継エレメント３０は、圧接コンタクト（ＩＤＣ）とも呼ばれる切断クランプ３１と、ばね湾曲部３２と、斜めに延びる係止舌片３４と、ピンとして形成された中継コンタクト３３とを有している。係止舌片３４は三面で自由に金属薄板材料から打ち抜かれており、斜めにエレメントの平面から張り出している。その一方で、ばね湾曲部３２は外方を向いた環として前記平面内に成形されている。ばね湾曲部に対向して、遮蔽中継エレメントには、ピン形に構成された中継コンタクト３３が一体成形されている。中継コンタクト３３は、遮蔽中継エレメントに設けられた狭幅のアームに、前記平面に対して軽微に屈曲した形で配置されている。
【００１１】
図２に示した、非伝導性の材料から成るシールインサート２０は、外周を延在する鍔２５を備えたスリーブから成る。その際、図２ａでは斜視図が選択されており、図２ｂではスリーブの、スリットを刻まれた領域の縦断面図が選択されている。スリーブには、少なくとも２つの、対向して位置するスリット２２が設けられている。スリット２２は鍔２５まで達する。それに対し、鍔の下側には、スプライスリング４０との係止のための係止リング２６が成形されている。さらに、スリーブの内径を狭窄する通し案内開口２４が、電気的なケーブルの個別導体６のために設けられている。
【００１２】
図３には、丸型差込接続器１のプラグボディ１０の断面図で、遮蔽中継エレメント３０が示されている。この図面から、どのように遮蔽中継エレメント３０が、プラグボディ１０内に設けられた、図面右に示したスリット１４と同様に成形されたスリット内に係止されているかが判る。このために、遮蔽中継エレメントは丸型差込接続器の差込側からスリット内に差し込まれ、そこで、プラグボディ１０に設けられた切欠き１５内に位置する係止舌片３４により係止される。切断クランプエレメント１７および遮蔽中継エレメント３０を挿入して初めて、プラグボディ１０は、ここでは詳説しないスプライス部分４０に係止され、プラグスリーブ１１内に挿入される（図４参照）。
【００１３】
プラグボディ１０の側方には、開口１６が設けられている。開口１６内に、遮蔽中継エレメント３０のばね湾曲部３２が挿嵌され、その際、プラグボディの外面を若干凌駕する。これにより、電気伝導性のプラグスリーブ１１はコンタクト形成され、プラグスリーブ１１は組付け時に、電気伝導性のユニオンナット１３とコンタクト形成する。
【００１４】
図４には、電気的なケーブル５を備えた丸型差込接続器の部分断面図が示されている。そのために、完体の丸型差込接続器の内側の部分を見通すことができる。図面で見て下方を向いた面が差込側３である。差込側３には、図示されていない対応プラグと螺合するためのねじ山と、ローレット目１２とが設けられている。反対側の、図面で見て上方を向いた面に、電気的なケーブル５を備えたケーブル接続側２が見て取れる。外被、すなわちプラグスリーブ１１とユニオンナット１３とから成る丸型差込接続器の、ほぼ中心を軸方向で破断した部分断面はローレット目１２の上側から始まる。そのために、さもなければ絶縁性のプラグボディ１０内に埋設されている遮蔽中継エレメント３０および切断クランプ１７が断面図平面に露出している。プラグボディ１０の上側には、「スプライス部分」４０が配置されている。スプライス部分４０内で、個別化された電気的な導体６は、ここには図示されていない通路内を案内されており、プラグボディ１０内に配置されていて前記通路内に突入する切断クランプエレメント１７により切断され、コンタクト形成される。個別導体６を有する電気的なケーブル５はユニオンナット１３により丸型差込接続器１内に保持される。その際、ケーブル５を有するシールインサート２０はユニオンナットによって半径方向の力をケーブルに及ぼし、環境影響に対する、引張りに強い封止を保証する。
【００１５】
電気的なケーブル５の、丸型差込接続器への組付けに際し、ユニオンナット１３および滑動リング４５を、電気的なケーブル５に被せ嵌めた後、まずケーブルの被覆を、個別導体６を個別化するために、所定の長さ分だけ短くする。同時に、被覆の下側で個別導体を包囲する遮蔽編組７が露出される。そして、個別導体６をシールインサート２０の通過開口２４内に導入し、遮蔽編組を、対向して位置する側でまとめて捩って、少なくとも１つの前記スリット２２に挿入する。その後、図２ｃに示した、電気伝導性の滑動リング４５をシールインサートのスリーブ２１に、遮蔽編組の、鍔２５上に位置する捩られた端部に接触するまで被せ嵌める。これにより、引き続いてプラグスリーブ１１に螺設される、電気伝導性のユニオンナット１３が滑動リング４５もしくは遮蔽編組にコンタクト形成される。遮蔽編組７を電気伝導性のユニオンナット１３に接触させることにより、遮蔽電位は遮蔽中継エレメント３０の、外方を向いたばね湾曲部３２へと導かれる。そこから、前記の通り、中継コンタクト３３を介して丸型差込接続器の中央導体１９へと導かれる。
【００１６】
変化形では、遮蔽編組７を捩ってスプライス部分４０内の通路を通して案内してもよく、それにより、直接、遮蔽中継エレメントの切断クランプ３１にコンタクト形成する。
【００１７】
別の変化形では、遮蔽編組７内に存在する並走線、いわゆる「ドレインワイヤ」をスプライス部分４０内の通路を通して案内し、遮蔽中継エレメント３０の切断クランプ３１にコンタクト形成してもよい。
【図面の簡単な説明】
【００１８】
【図１】遮蔽中継エレメントを示す図である。
【００１９】
【図２ａ】シールインサートの斜視図である。
【００２０】
【図２ｂ】シールインサートの断面図である。
【００２１】
【図２ｃ】滑動リングの断面図である。
【００２２】
【図３】断面したプラグボディ内に位置する遮蔽中継エレメントの斜視図である。
【００２３】
【図４】丸型差込接続器の斜視的な部分断面図である。
【符号の説明】
【００２４】
１  丸型差込接続器、  ２  ケーブル接続側、  ３  差込側、  ５  電気的なケーブル、  ６  個別導体、  ７  遮蔽編組、  １０  プラグボディ（絶縁性）、  １１  プラグスリーブ（導電性）、  １２  刻み付ナット、  １３  ユニオンナット（導電性の締付ナット）、  １４  スリット、  １５  切欠き、  １６  開口、  １７  （通常の）切断クランプエレメント、  １９  （中央の）ソケットコンタクト、  ２０  シールインサート、  ２１  スリーブ、  ２２  スリット、  ２４  通過開口、  ２５  鍔、  ２６  係止リング、  ３０  遮蔽中継エレメント、  ３１  切断クランプ、  ３２  ばね湾曲部、  ３３  中継コンタクト、  ３４  係止舌片、  ４０  スプライス部分、  ４５  滑動リング
【図１】
2005166653.tif 000003
【図２ａ】
2005166653.tif 000004
【図２ｂ】
2005166653.tif 000005
【図２ｃ】
2005166653.tif 000006
【図３】
2005166653.tif 000007
【図４】
2005166653.tif 000008